(57)【特許請求の範囲】
【請求項１】
枠体の前面に固定される操作部取り付け金具に、操作部ユニットと前パネルを取り付ける温風暖房機に於いて、前記操作部取り付け金具の左右上部に前パネル係止部を設け、この前パネル係止部と前記枠体の間に隙間を形成し、前記前パネルの左右上部に備えた差し込み爪を、前記隙間に差し込んで前面パネルを固定し、前記前パネル係止部の前面に対向して接触する固定部を前記操作部ユニットに設けたことを特徴とする温風暖房機。
【請求項２】
前記固定部に複数のリブを設け、このリブが前記前パネル係止部の前面と接触することを特徴とする請求項１記載の温風暖房機。
【発明の詳細な説明】
【技術分野】
【０００１】
この発明は、温風を吹き出して室内を暖房する温風暖房機に関するものである。
【背景技術】
【０００２】
従来、この種のものに於いては、図８に示すように、温風暖房機の枠体１０１と枠体上部前面に取り付けた前パネル取付金具１０２との間に形成された隙間１０３に、前パネル１０４の左右上部に形成された差し込み爪１０５を挿入したのち、前記前パネル１０４の下部（図示せず）をネジ止めすることで、前記前パネル１０４を枠体１０１に固定していた。（例えば特許文献１参照）
【先行技術文献】
【特許文献】
【０００３】
【特許文献１】特開２０１５−８１７３７号公報
【発明の概要】
【発明が解決しようとする課題】
【０００４】
しかし、この従来のものでは、組立作業時あるいは暖房機使用時に人が前パネルの角に衝突する等で前パネルに力が加わった時に、前記隙間が大きくなると枠体と前パネルが密着せずに隙間があいてしまったり、枠体に対して前パネルが水平に成らずに斜めに位置ズレして、見栄えを損ねるという問題があった。
【課題を解決するための手段】
【０００５】
上記課題を解決するために、枠体の前面に固定される操作部取り付け金具に、操作部ユニットと前パネルを取り付ける温風暖房機に於いて、前記操作部取り付け金具の左右上部に前パネル係止部を設け、この前パネル係止部と前記枠体の間に隙間を形成し、前記前パネルの左右上部に備えた差し込み爪を、前記隙間に差し込んで前面パネルを固定し、前記前パネル係止部の前面に対向して接触する変形防止部を前記操作部ユニットに設けたものである。
【０００６】
また、前記変形防止部に複数のリブを設け、このリブが前記前パネル係止部の前面と接触するものである。
【発明の効果】
【０００７】
何らかの原因で前パネルに力が加わった時でも、前パネル係止部の前面に操作部ユニットの固定部を接触させて固定しているので、前パネル係止部が変形することがなくなり、枠体と操作部取り付け金具との間に形成された隙間が広がって、枠体と前パネルが密着せずに隙間があいてしまったり、枠体に対して前パネルが水平に成らずに斜めに位置ズレすることがなく、しっかりと固定できるので、見栄えを損ねることがなく、意匠性を確実に確保できるものである。
【０００８】
また、前パネル係止部の前面と接触する操作部ユニットの固定部に複数のリブを設けたので、リブの高さを調整することで、前パネル係止部と操作部ユニットの接触強さを簡単に調整できるようなり、隙間寸法の調整も簡単にでき、組立作業時の前パネルの取り付けをよりスムーズに行うことができるものである。
【図面の簡単な説明】
【０００９】
【図１】この発明の一実施形態の正面図。
【図２】同右側面方向からの概略断面図。
【図３】同前パネルを取り去り、操作部ユニットを外した状態の斜視図。
【図４】同操作部ユニットの平面図。
【図５】同操作部取り付け金具の正面図。
【図６】同操作部取り付け金具の平面図。
【図７】同要部の拡大断面図。
【図８】従来例の要部断面図。
【発明を実施するための形態】
【００１０】
次にこの発明に係る温風暖房機を図面に示す一実施例で説明する。
１は温風暖房機本体で、前記温風暖房機本体１の枠体２は、前面を覆う前パネル３と、上面を覆う上面板４と、側面及び背面を覆う背面板５とを置き台６の上に固定して構成されている。
【００１１】
７は上面前部に備えられた操作部ユニット、８は前面上部に備えられた表示部ユニット、９は前パネル３に形成された温風を吹き出す温風吹出口、１０は前記温風吹出口９に上下に設けられ、可動して温風吹出口９を開閉すると共に、温風を案内する可動ルーバ、１１は背面の空気取入口１２にファンガード（図示せず）を介して取り付けられた対流ファン、１３は前記空気取入口１２と温風吹出口９とを連通する送風ボックス、１４は前記送風ボックス１３内にバーナヘッド１５を突出して設けられたバーナ部、１６は前記バーナヘッド１５を囲堯して燃焼空間を形成する燃焼筒で、前記バーナ部１４と燃焼筒１６は燃焼筒基板１７に取り付けられ、そのバーナ部１４と燃焼筒１６が取り付けられた燃焼筒基板１７が送風ボックス１３に取り付けられるものである。
【００１２】
１８は操作部取り付け金具で、前記温風暖房機本体１の枠体２にネジ１９にて固定される本体枠取付面１８ａと、該本体枠取付面１８ａに対して水平面で構成され、操作部ユニット７を取り付ける操作部取付面１８ｂと、該操作部取付面１８ｂに対して垂直面で構成され、略中央に表示部ユニット８を取り付ける表示部取付面１８ｃと、前記操作部取付面１８ｂの両端に形成され、前記操作部取付面１８ｂの両端には操作部ユニット７をネジ２０にて固定するための操作部固定孔１８ｄが形成され、該操作部固定孔１８ｄの内側で本体枠取付面１８ａの上部両端には、前記前パネル３に形成された差し込み爪３ａを引っかけて前パネル３を枠体２に固定する前パネル係止部１８ｅを形成している。前パネル３の取り付けは、前パネル３の差し込み爪３ａを前パネル係止部１８ｅの隙間Ｘに差し込んで、前パネル３の上部位置を固定して前パネル３の下端部３ｂを置き台６に設けた切り起こし６ａにネジ止めすれば前パネル３が固定される。
【００１３】
前記前パネル係止部１８ｅは枠体２との間に約０．５ｍｍの隙間Ｘを形成し、この隙間Ｘに前記前パネル３の差し込み爪３ａ（板厚約０．５ｍｍ）が挿入されて、前パネル３が枠体２に密着して取り付けられるが、組立作業時あるいは暖房機使用時に人が前パネルの角に衝突する等で前パネルに力が加わった時に、前パネル係止部１８ｅが変形して隙間Ｘが広がってしまうと、枠体２と前パネル３が密着せずに隙間があいてしまったり、枠体２に対して前パネル３が水平に成らずに斜めに位置ズレして、見栄えを損ねるものである。
【００１４】
前記操作部ユニット７は合成樹脂からなる操作部本体７ａと、該操作部本体７ａの上面に取り付けられ、運転スイッチ等の各種スイッチ７ｂが設けられたスイッチ部７ｃとからなり、前記操作部本体７ａの両端には固定ネジ用孔７ｄが形成された固定部７ｅが設けられ、該固定部７ｅの内側両端の背面側に、前記前パネル係止部１８ｅの前面側の接触面を押さえて変形を防止する複数のリブ７ｆを設けている。このリブ７ｆの高さを調整することで、前パネル係止部１８ｅと操作部ユニット７の押しつけ強さを簡単に調整できるようなり、隙間寸法の調整も簡単にでき、組立作業時の前パネル３の取り付けをスムーズに行なえ、且つ、前パネル係止部１８ｅの変形を防止する程よい寸法を簡単に調整することができるものである。
【００１５】
温風暖房機本体１内には、灯油などの液体燃料を供給するカートリッジ式タンク（図示せず）からの燃料を一時的に固定タンク２１に溜め置き、該固定タンク２１内の燃料を送油管（図示せず）を介してバーナ部１４へ電磁ポンプ（図示せず）が圧送し、燃焼ファン２２により燃焼用空気を送風管２３を介してバーナ部１４へ送風することで、灯油の燃焼が行われ、燃焼によって発生した熱が温風として、前記温風吹出口９から室内に吹き出されることで室内の暖房を行うものである。
【００１６】
２４は前記表示部ユニット８の右端に設けられた人感センサで、人の存在を検知しているときは、設定温度と現在室温の温度数値とを比較し、最適な燃料流量と供給空気量を指示する通常の燃焼制御運転を行い、人の存在を検知しないときはバーナ部１４の燃焼量が微小燃焼に変更することで、燃料の消費量を節約した省エネルギーな運転を行うものである。
【００１７】
次に、本実施例の前パネル３の取り付け構造について説明する。
まず、温風暖房機本体１の枠体２に操作部取り付け金具１８をネジ１９にて上面板４に２カ所、背面板５に２カ所ネジ止め固定する。
【００１８】
次に、操作部ユニット７の左右に設けられた固定ネジ用孔７ｄをネジ２０にて貫通して、操作部ユニット７を操作部取り付け金具１８の操作部固定孔１８ｄにネジ止めすれば、リブ７ｆが前パネル係止部１８ｅの前面に密着して、前パネル係止部１８ｅの変形を防止するものである。
【００１９】
次に、表示ユニット８を操作部取り付け金具１８に嵌め込み固定したのち、前パネル３の差し込み爪３ａを前パネル係止部１８ｅの隙間Ｘに差し込んで、前パネル３の上部位置を固定して前パネル３の下端部３ｂを置き台６に設けた切り起こし６ａにネジ止めすれば前パネル３が固定される。尚前パネル３の下端部３ｂの固定方法は置き台６への固定でなく背面板５の側面下部に固定しても良い。
【００２０】
このように、何らかの原因で前パネル３に力が加わった時でも、前パネル係止部１８ｅの前面に操作部ユニット７を接触させて固定されているので、前パネル係止部１８ｅが変形することがなくなり、枠体２と操作部取り付け金具１８との間に形成された隙間Ｘが広がって、枠体２と前パネル３が密着せずに隙間があいてしまったり、枠体２に対して前パネル３が水平に成らずに斜めに位置ズレすることがなく、しっかりと固定できるので、見栄えを損ねることがなく、意匠性を確実に確保できるものである。
【００２１】
また、前パネル係止部１８ｅの前面と操作部ユニット７が接触する接触面の操作部ユニット側に複数のリブ７ｆを設けたので、リブ７ｆの高さを調整することで、前パネル係止部１８ｅと操作部ユニット７の接触強さを簡単に調整できるようなり、隙間寸法の調整も簡単にでき、組立作業時の前パネル３の取り付けをよりスムーズに行うことができるものである。
【符号の説明】
【００２２】
１  温風暖房機本体
２  枠体
３  前パネル
３ａ  差し込み爪３ａ
７  操作部ユニット
７ａ  操作部本体
７ｅ  固定部
１８  操作部取り付け金具
１８ｅ  前パネル係止部
【図１】
0006422835.tif 000002
【図２】
0006422835.tif 000003
【図３】
0006422835.tif 000004
【図４】
0006422835.tif 000005
【図５】
0006422835.tif 000006
【図６】
0006422835.tif 000007
【図７】
0006422835.tif 000008
【図８】
0006422835.tif 000009